(57)【要約】  【課題】  複数の監視対象物における異常の有無を監視する場合において、異常発生箇所の迅速な探索を可能とする異常監視装置、異常探索支援方法、異常探索支援プログラムを提供する。  【解決手段】  複数の監視対象物のそれぞれが属する所属データを階層的に複数設定するための所属データ設定手段と、各監視対象物の異常状態を検出する異常状態検出手段と、前記異常状態検出手段によって異常状態が検出された場合に、該異常状態が検出された監視対象物が属する前記所属データを階層的にリンク可能に表示する所属データ表示手段とを備えてなる。  【選択図】  図２
2005208707.tif 000002
【特許請求の範囲】
【請求項１】
複数の監視対象物のそれぞれが属する所属データを階層的に複数設定するための所属データ設定手段と、
各監視対象物の異常状態を検出する異常状態検出手段と、
前記異常状態検出手段によって異常状態が検出された場合に、該異常状態が検出された監視対象物が属する前記所属データを階層的にリンク可能に表示する所属データ表示手段と
を備えてなる異常監視装置。
【請求項２】
請求項１に記載の異常監視装置において、
任意の階層における前記所属データは、一つ下位の階層における所属データを複数表示する画像データにより構成され、前記任意の階層の所属データに表示された一つ下位の複数の所属データのうち、前記異常状態が検出された監視対象物が属する所属データを識別可能に表示する異常監視装置。
【請求項３】
請求項１又は請求項２に記載の異常監視装置において、
前記所属データは、前記監視対象物が存在する空間的位置、または前記監視対象物を包含する物品、または前記監視対象物を構成要素としてなる物品を示す異常監視装置。
【請求項４】
複数の監視対象物のそれぞれが属する所属データが階層的に複数設定された階層データに基づいて、前記監視対象物が属する所属データを階層的にリンク可能に表示させる異常監視装置における異常探索支援方法であって、
複数の監視対象物それぞれの異常状態を検出する異常状態検出ステップと、
指定された階層の所属データにおいて、一つ下位の階層の複数の所属データを表示するとともに、異常状態が検出された監視対象物が属する所属データを識別可能に表示する識別表示ステップとを備えてなる異常探索支援方法。
【請求項５】
複数の監視対象物のそれぞれが属する所属データが階層的に複数設定された階層データに基づいて、前記監視対象物が属する所属データを階層的にリンク可能に表示させる異常監視装置における異常探索支援方法をコンピュータに実行させる異常探索支援プログラムであって、
複数の監視対象物それぞれの異常状態を検出する異常状態検出ステップと、
指定された階層の所属データにおいて、一つ下位の階層の複数の所属データを表示するとともに、異常状態が検出された監視対象物が属する所属データを識別可能に表示する識別表示ステップとをコンピュータに実行させる異常探索支援プログラム。
【発明の詳細な説明】
【技術分野】
【０００１】
本発明は、異常監視装置、異常探索支援方法、異常探索支援プログラムに関するものである。
【背景技術】
【０００２】
従来、複数の監視対象物の稼動状態の異常の有無を監視する異常監視装置では、それぞれの監視対象物の稼動状態を監視するための表示画面が独立した構成となっている。例えば、建物の各フロアのレイアウトや複数あるラックそれぞれに対して個別の表示画面が用意されており、それぞれの表示画面の中で問題箇所に色づけ等の識別表示を行うことで問題箇所を特定させるようにしていた（例えば、特許文献１から４参照。）。
【特許文献１】特開平１０−２３１４６号公報  （第３―４頁、第１図）
【特許文献２】特開２０００−２０９２０３号公報  （第４―９頁、第１図）
【特許文献３】特開２００１−３１２３４２号公報  （第４―１７頁、第１図）
【特許文献４】特開２００２−２１５２２３号公報  （第４―８頁、第１図）
【発明の開示】
【発明が解決しようとする課題】
【０００３】
上述のような識別表示は、あくまで個々の表示画面（例えば、ある１つのフロアに対応するレイアウト画面、あるラックに対応する構成画面、もしくはネットワーク上に存在する論理的な情報処理装置グループに対応する画面など）においてなされるだけのものであった。
【０００４】
このような構成では、いずれかの監視対象物の稼動状態に異常が発生した場合でも、サービスマンは複数ある表示画面を個別にチェックすることによって異常箇所を探索しなければならず、迅速な異常箇所の探索を行う上で効率的であるとは言いがたい。
【０００５】
本発明は上述した問題点を解決するためになされたものであり、複数の監視対象物における異常の有無を監視する場合において、異常発生箇所の迅速な探索を可能とする異常監視装置、異常探索支援方法、異常探索支援プログラムを提供することを目的とする。
【課題を解決するための手段】
【０００６】
上述した課題を解決するため、本発明に係る異常監視装置は、複数の監視対象物のそれぞれが属する所属データを階層的に複数設定するための所属データ設定手段と、各監視対象物の異常状態を検出する異常状態検出手段と、前記異常状態検出手段によって異常状態が検出された場合に、該異常状態が検出された監視対象物が属する前記所属データを階層的にリンク可能に表示する所属データ表示手段とを備えてなることを特徴とするものである。
【０００７】
このように、異常状態が検出された監視対象物が属する所属データを階層的にリンク可能とすることで、異常状態である監視対象物が属する上位の階層の所属データから下位の階層の所属データへとリンクを辿っていくことができ、従来は個別に参照しなければならなかった所属データ（表示画面）を一元的に管理することが可能となる。
【０００８】
これにより、複数の監視対象物における異常の有無を監視する場合においても、異常発生箇所の迅速な探索を可能とすることができる。
【０００９】
また、上述のような異常監視装置において、任意の階層における前記所属データは、一つ下位の階層における所属データを複数表示する画像データにより構成され、前記任意の階層の所属データに表示された一つ下位の複数の所属データのうち、前記異常状態が検出された監視対象物が属する所属データを識別可能に表示するものであることが好ましい。
【００１０】
このような構成によれば、異常状態である監視対象物が属する上位の階層の所属データから下位の階層の所属データへとリンクを辿る際、異常状態が検出された監視対象物が属する所属データを容易に識別することができ、異常発生箇所の迅速な探索に効果を奏する。
【００１１】
さらに、上述のような構成の異常監視装置において、前記所属データは、前記監視対象物が存在する空間的位置、または前記監視対象物を包含する物品、または前記監視対象物を構成要素としてなる物品を示すことが望ましい。
【００１２】
また、本発明に係る異常探索支援方法は、複数の監視対象物のそれぞれが属する所属データが階層的に複数設定された階層データに基づいて、前記監視対象物が属する所属データを階層的にリンク可能に表示させる異常監視装置における異常探索支援方法であって、複数の監視対象物それぞれの異常状態を検出する異常状態検出ステップと、指定された階層の所属データにおいて、一つ下位の階層の複数の所属データを表示するとともに、異常状態が検出された監視対象物が属する所属データを識別可能に表示する識別表示ステップとを備えてなることを特徴とするものである。
【００１３】
なお、上述のような構成の異常探索支援方法において、前記識別表示ステップにおいて識別可能に表示された所属データが選択されたとき、該所属データの一つ下位の階層の複数の所属データを表示するとともに、異常状態が検出された監視対象物が属する所属データを識別可能に表示することが好ましい。
【００１４】
本発明に係る異常探索支援プログラムは、複数の監視対象物のそれぞれが属する所属データが階層的に複数設定された階層データに基づいて、前記監視対象物が属する所属データを階層的にリンク可能に表示させる異常監視装置における異常探索支援方法をコンピュータに実行させる異常探索支援プログラムであって、複数の監視対象物それぞれの異常状態を検出する異常状態検出ステップと、指定された階層の所属データにおいて、一つ下位の階層の複数の所属データを表示するとともに、異常状態が検出された監視対象物が属する所属データを識別可能に表示する識別表示ステップとをコンピュータに実行させるものである。
【００１５】
上述のような構成の異常探索支援プログラムにおいて、前記識別表示ステップにおいて識別可能に表示された所属データが選択されたとき、該所属データの一つ下位の階層の複数の所属データを表示するとともに、異常状態が検出された監視対象物が属する所属データを識別可能に表示するようにすることもできる。
【発明の効果】
【００１６】
以上に詳述したように本発明によれば、複数の監視対象物における異常の有無を監視する場合において、異常発生箇所の迅速な探索を可能とする異常監視装置、異常探索支援方法、異常探索支援プログラムを提供することができる。
【発明を実施するための最良の形態】
【００１７】
以下、本発明の実施の形態について図面を参照しつつ説明する。
【００１８】
図１は、本発明の実施の形態による異常監視装置の全体構成を示す図である。
【００１９】
本実施の形態による異常監視装置Ｅは、データ抽出インタフェースＦ、所属データ表示手段としての所属データ表示部Ｓ、異常状態検出手段としての異常状態検出部９０８、操作入力部９０７、所属データを登録して設定する所属データ設定手段としての設定部（データベース８）を備えて構成されている。なお、これら各部は不図示のＣＰＵおよび記憶領域、記憶領域に記憶されＣＰＵにより実行されるプログラムと協働して構成されている。
【００２０】
データ抽出インタフェースＦは、監視対象データ抽出部９０１、所属データ抽出部９０２および監視対象状態抽出部９０３から構成されており、所属データ表示部Ｓは、表示用状態決定部９０４、表示画面決定部９０５および表示部９０６から構成されている。
【００２１】
データ抽出インタフェースＦは、データベース８に格納されている監視対象データ８０１、所属データ８０２および監視対象状態データ８０３から、所望のデータの抽出を行うインタフェースとしての役割を有する。
【００２２】
なお本実施の形態では、データベース８が異常監視装置Ｅの内部に配置されている構成としているが、これに限られるものではなく、異常監視装置Ｅの外部に配置する構成も可能であることは言うまでもない。
【００２３】
ここで、データベース８に格納（設定）されている所属データ８０２は、複数の監視対象物のそれぞれが属するデータを示すものであり、階層的に複数設定されている。なお、データベース８に設定するための操作手段をも本発明の設定手段に含めることができ、例えば、操作入力部９０７をその場合の操作手段として構成することもできる。
【００２４】
次に、本実施の形態による異常監視装置における動作について説明する。
【００２５】
図２は本実施の形態を説明するための概念図、図３は本実施の形態による異常監視装置の動作について説明するためのフローチャート、図４から図６は  本実施の形態における所属データについて説明するための図である。
【００２６】
異常状態検出部９０８は、監視対象物の稼動状態に関するシステムログのイベントを監視しており、監視対象物の稼動状態の異常を検出する（異常状態検出ステップ）（Ｓ１１）。
【００２７】
ここで検出する異常状態とは、例えば装置内の温度異常、冷却ファンの回転数の異常などがあり、この他にも必要に応じて任意に設定可能である。
【００２８】
なお、ここでのシステムログは、異常監視装置Ｅ内の記憶領域に格納されるようにすることもできるが、異常監視装置外に配置されるサーバ等の記憶領域（異常状態を記録するためのログファイルなど）に格納されるものであってもよい。このシステムログは、監視対象物における異常発生時にドライバ、システム管理プログラムなどにより記録される。
【００２９】
次に、異常状態検出部９０８にて検出された異常状態は、データベース８に通知され、監視対象状態データ８０３における該当する監視対象物の情報が更新される（Ｓ１２）。
【００３０】
続いて、データ抽出インタフェースＦにおける監視対象状態抽出部９０３が、データベース８における監視対象状態データ８０３の抽出を行う（Ｓ１３）。
【００３１】
このようにして抽出された監視対象状態データ８０３から、稼動状態が更新された監視対象物とその稼動状態の異常など、画面表示に必要な情報を取得する（Ｓ１４）。
【００３２】
上述のようなステップにおいて監視対象物の稼動状態の異常が検出されると、この異常監視装置よって監視されているいずれかの監視対象物に異常が発生したことをシステム管理者に知らせるために、表示部９０６に故障ダイアログを表示する。さらに、取得された監視対象物の状態情報と、所属データ抽出部９０２により所属データ８０２から抽出された当該監視対象物に関する情報とに基づいて、所属データを画面表示する際の状態を決定する。
【００３３】
表示画面決定部９０５は、このようにして決定された所属データを画面表示する際の状態と、監視対象データ抽出部９０１により抽出される監視対象物に関する情報である監視対象データ（監視対象物の画像情報、仕様など）８０１とに基づき、表示部９０６に表示すべき画面を表示させる。
【００３４】
図４から図６は、このようにして表示画面決定部９０５により決定された画面の表示例を示している。図４において、右側はフロア１Ｆに対応する所属データ、左側はフロア１Ｆが階層的に設定されている所属データのうちのどの位置にあるかをユーザに容易に把握させるため、各所属データをツリー構造を用いて示している。ここでは、フロア１Ｆ（Ｆｌｏｏｒ−１Ｆ）には、ＩＮ（１０１）、Ｒａｃｋ−１（１０２）、Ｒａｃｋ−２（１０３）、Ｒａｃｋ−３（１０４）、Ｒａｃｋ−４（１０５）、Ｓｅｒｖｅｒ−０２（１０７）、Ｓｅｒｖｅｒ−０１（１０８）、Ｏｔｈｅｒ０２（１０９）およびＤｅｓｋ（１０６）が配置されている設定となっている。
【００３５】
任意の階層における所属データは、当該任意の階層よりも一つ下位の階層における所属データを複数表示する画像データにより構成されており（よって、Ｒａｃｋ−１、Ｒａｃｋ−２、Ｒａｃｋ−３、Ｒａｃｋ−４、Ｓｅｒｖｅｒ−０２、Ｓｅｒｖｅｒ−０１およびＯｔｈｅｒ０２等も所属データに相当する）、所属データ表示部Ｓは、異常状態が検出された監視対象物が属する所属データを階層的にリンク可能に表示する。なお、任意の階層の所属データに表示された一つ下位の複数の所属データのうち、異常状態が検出された監視対象物が属する所属データは識別可能に表示される（識別表示ステップ）（Ｓ１５）。
【００３６】
ここでは異常状態が検出された監視対象物はＦｌｏｏｒ−１ＦにあるＲａｃｋ−２（１０３）に配置されているラック搭載可能ユニット１０３ａに内蔵されているメモリＭであるとする。
【００３７】
さらに、同図左側に示すツリー構造においても、異常状態が検出された監視対象物（ここでは、メモリＭ）からツリー構造のルート（ツリーの最上位の階層）までのパスに存在する所属データ（ここでは、Ｆｌｏｏｒ−１Ｆ、Ｒａｃｋ−２およびラック搭載可能ユニット１０３ａ）に対して故障マークを付している（故障状態の伝播）。もちろん、故障マークを付す代わりに、表示方法や表示色を変更するようにしてもよい。本実施の形態では、この故障マーク等を付す処理はデータベース８側において行ってもよいし、所属データ表示部Ｓに行わせることもできる。
【００３８】
システム管理者が表示部９０６に表示された故障ダイアログおよびツリー上の故障マークにより、いずれかの監視対象物に異常が起こったことを認識し、表示部９０６に表示されている建屋のイメージ（ここでは、Ｆｌｏｏｒ−１Ｆ（１）とＦｌｏｏｒ−２Ｆ（２）からなる２階建てとする）のうち強調表示されているＦｌｏｏｒ−１Ｆ（１）を操作入力部（マウス、キーボード等）９０７によって選択すると（図２参照）、表示部９０６にはＦｌｏｏｒ−１Ｆに対応する所属データ（フロアレイアウト）が表示される（Ｓ１６）。
【００３９】
もちろん、図４に示されているようなツリー上の故障マークが付されている部分（ここではＦｌｏｏｒ−１Ｆ）を選択することによっても同様な結果が得られる。このとき、初期状態では閉じられていたＦｌｏｏｒ−１Ｆの１つ下の階層のツリーが展開される（図４参照）。
【００４０】
システム管理者は、表示部９０６に表示されたＦｌｏｏｒ−１Ｆに対応する所属データ（フロアレイアウト）の中から、太枠によって強調表示されているＲａｃｋ−２（１０３）を選択する（図２参照）。もちろん、このとき画面左側のツリー表示においてもＲａｃｋ−２に対応する部分には故障マークが付されている。このようにしてＲａｃｋ−２を選択すると、表示部９０６におけるフロアレイアウトが表示されていた領域には、Ｒａｃｋ−２に対応する所属データ（Ｒａｃｋ−２の構成を示すイメージ）が表示される（Ｓ１７）（図５参照）。
【００４１】
ここでのＲａｃｋ−２（１０３）は、ラック搭載可能ユニット１０３ａ、Ｏｔｈｅｒ０３（１０３ｂ）を備えた構成となっており、ラック搭載可能ユニット１０３ａが太枠によって強調表示されている（図５参照）。
【００４２】
システム管理者が、表示部９０６に表示されたＲａｃｋ−２に対応する所属データのうち、強調表示されているラック搭載可能ユニット（コンピュータ）１０３ａを操作入力部９０７によって選択すると、表示部９０６におけるＲａｃｋ−２に対応する所属データが表示されていた領域には、ラック搭載可能ユニット１０３ａに対応する所属データ（ラック搭載可能ユニット１０３ａの構成を示すイメージ）が表示される（Ｓ１８）（図６参照）。
【００４３】
このように表示部９０６に表示されたラック搭載可能ユニット１０３ａに対応する所属データ（ラック搭載可能ユニット１０３ａ内の部品の配置や構成を示すイメージ）では、異常が発生したメモリＭがラック搭載可能ユニット１０３ａ内のどの位置に配置されているのかが識別可能なように、強調表示されている。また、同図に示すように、ラック搭載可能ユニット１０３ａ内の部品の配置や構成を示すイメージと共に、ラック搭載可能ユニット１０３ａの仕様等の情報を表示させるようにすることで、異常状態の特定および異常状態からの復旧のための情報を提供している。
【００４４】
以上のように、建屋、フロア、コンピュータ、ディスク装置を搭載するラック、ラック搭載可能ユニット（コンピュータ）およびデータを保存するためのディスク装置といった、従来は別個のものとして取り扱われていたものを、全て１つの物理的階層モデルとして扱う（監視対象物が存在する空間的位置、または監視対象物を包含する物品、または監視対象物を構成要素としてなる物品を所属データとして統一的に扱う）ことで、直感的に分かりやすく画面表示されたイメージを辿りながら異常箇所の探索を行うことができる。すなわち、視覚的に実際の装置や部品の位置をイメージしながら、統一された操作感で異常箇所（故障部品など）を特定できる。
【００４５】
なお、同時に複数の監視対象物において異常が発生した場合は、それぞれの監視対象物における異常の状態の重大度を比較し、最も重大度の大きい異常状態をツリーの上位の階層へと伝播させる。
【００４６】
また、稼動状態として、正常（○）、警告（△）、異常（×）といったものを定義しており、これらの状態には正常（○）＜警告（△）＜異常（×）という重大度の大小関係がある。よって、ある監視対象物が警告（△）状態となり、これと同時に他の監視対象物が異常（×）状態となった場合、異常の状態の重大度の大きい異常（×）状態をツリーの上位の階層へと伝播させてゆく。これにより、システム管理者はいずれかの監視対象物が異常（×）状態となっていることを把握することができる。
【００４７】
このように、異常状態が検出された監視対象物が属する所属データは当該監視対象物の異常状態の重大度を表示する。また、任意の階層の所属データに属する複数の監視対象物において異常状態が検出された場合、所属データ表示部は、該複数の監視対象物それぞれの異常状態のうち重大度が最大のものを該任意の階層の所属データについて表示するように構成されている。
【００４８】
この他、本発明によれば、複数の監視対象物のそれぞれが属する所属データが階層的に複数設定された階層データに基づいて、監視対象物が属する所属データを階層的にリンク可能に表示させる異常監視装置における異常探索支援方法であって、複数の監視対象物それぞれの異常状態を検出する異常状態検出ステップと、指定された階層の所属データにおいて、一つ下位の階層の複数の所属データを表示するとともに、異常状態が検出された監視対象物が属する所属データを識別可能に表示する識別表示ステップとを備えてなる異常探索支援方法を提供することができる。
【００４９】
また、上述の異常探索支援方法における識別表示ステップにおいて識別可能に表示された所属データが選択されたとき、該所属データの一つ下位の階層の複数の所属データを表示するとともに、異常状態が検出された監視対象物が属する所属データを識別可能に表示するようにしている。
【００５０】
なお、本実施の形態における異常探索支援方法は、異常監視装置における不図示の記憶領域に格納されている異常探索支援プログラムを、コンピュータにより読取可能な記録媒体に記憶させ、それをコンピュータに実行させることにより実現されるものである。なお、本発明において、上記コンピュータにより読取り可能な記録媒体は、ＣＤ−ＲＯＭやフレキシブルディスク、ＤＶＤディスク、光磁気ディスク、ＩＣカード等の可搬型記憶媒体や、コンピュータプログラムを保持するデータベース、或いは、他のコンピュータ並びにそのデータベースや、更に回線上の伝送媒体をも含むものである。
【００５１】
具体的に、本実施の形態による異常探索支援プログラムは、複数の監視対象物のそれぞれが属する所属データが階層的に複数設定された階層データに基づいて、監視対象物が属する所属データを階層的にリンク可能に表示させる異常監視装置における異常探索支援方法をコンピュータに実行させる異常探索支援プログラムであって、複数の監視対象物それぞれの異常状態を検出する異常状態検出ステップと、指定された階層の所属データにおいて、一つ下位の階層の複数の所属データを表示するとともに、異常状態が検出された監視対象物が属する所属データを識別可能に表示する識別表示ステップとをコンピュータに実行させる構成となっている。
【００５２】
また、上述の異常探索支援プログラムにおける識別表示ステップにおいて識別可能に表示された所属データが選択されたとき、該所属データの一つ下位の階層の複数の所属データを表示するとともに、異常状態が検出された監視対象物が属する所属データを識別可能に表示する構成としている。
【００５３】
以上のように,本発明によれば、多数の情報処理関連装置が設置されているフロアやラックの物理的イメージをなるべく実際に近いかたちで、その状態と併せて直感的に表現することで、大規模な構成での個々の情報処理関連装置の物理配置と状態を視覚的に捉えることにより、システムの稼動状況を把握することができる。特に、複数の監視対象物同士の物理的関係と表示される画面を階層モデル化し、さらにモデル上での状態の伝播という考え方を導入することにより異常発生箇所の早期特定を可能にすることができる。
【００５４】
異常が発生した監視対象物を特定する場合、フロアレイアウトもしくはラックレイアウトを参照することにより視覚的に故障状況と故障装置の場所の特定が可能であるが、データ及び関連する表示画面が一元管理されているため、簡単な操作により異常発生箇所を早期に特定することが可能となる。
（付記１）複数の監視対象物のそれぞれが属する所属データを階層的に複数設定するための所属データ設定手段と、
各監視対象物の異常状態を検出する異常状態検出手段と、
前記異常状態検出手段によって異常状態が検出された場合に、該異常状態が検出された監視対象物が属する前記所属データを階層的にリンク可能に表示する所属データ表示手段と
を備えてなる異常監視装置。
（付記２）付記１に記載の異常監視装置において、
任意の階層における前記所属データは、一つ下位の階層における所属データを複数表示する画像データにより構成され、前記任意の階層の所属データに表示された一つ下位の複数の所属データのうち、前記異常状態が検出された監視対象物が属する所属データを識別可能に表示する異常監視装置。
（付記３）付記１又は付記２に記載の異常監視装置において、
前記所属データは、前記監視対象物が存在する空間的位置、または前記監視対象物を包含する物品、または前記監視対象物を構成要素としてなる物品を示す異常監視装置。
（付記４）付記１乃至付記３のいずれかに記載の異常監視装置において、
前記異常状態が検出された監視対象物が属する所属データは当該監視対象物の異常状態の重大度を表示する異常監視装置。
（付記５）付記４に記載の異常監視装置において、
任意の階層の所属データに属する複数の監視対象物において異常状態が検出された場合、前記所属データ表示手段は、該複数の監視対象物それぞれの異常状態のうち重大度が最大のものを該任意の階層の所属データについて表示する異常監視装置。
（付記６）複数の監視対象物のそれぞれが属する所属データが階層的に複数設定された階層データに基づいて、前記監視対象物が属する所属データを階層的にリンク可能に表示させる異常監視装置における異常探索支援方法であって、
複数の監視対象物それぞれの異常状態を検出する異常状態検出ステップと、
指定された階層の所属データにおいて、一つ下位の階層の複数の所属データを表示するとともに、異常状態が検出された監視対象物が属する所属データを識別可能に表示する識別表示ステップとを備えてなる異常探索支援方法。
（付記７）付記６に記載の異常探索支援方法において、
前記識別表示ステップにおいて識別可能に表示された所属データが選択されたとき、該所属データの一つ下位の階層の複数の所属データを表示するとともに、異常状態が検出された監視対象物が属する所属データを識別可能に表示する異常探索支援方法。
（付記８）複数の監視対象物のそれぞれが属する所属データが階層的に複数設定された階層データに基づいて、前記監視対象物が属する所属データを階層的にリンク可能に表示させる異常監視装置における異常探索支援方法をコンピュータに実行させる異常探索支援プログラムであって、
複数の監視対象物それぞれの異常状態を検出する異常状態検出ステップと、
指定された階層の所属データにおいて、一つ下位の階層の複数の所属データを表示するとともに、異常状態が検出された監視対象物が属する所属データを識別可能に表示する識別表示ステップとをコンピュータに実行させる異常探索支援プログラム。
（付記９）付記８に記載の異常探索支援プログラムにおいて、
前記識別表示ステップにおいて識別可能に表示された所属データが選択されたとき、該所属データの一つ下位の階層の複数の所属データを表示するとともに、異常状態が検出された監視対象物が属する所属データを識別可能に表示する異常探索支援プログラム。
【図面の簡単な説明】
【００５５】
【図１】本発明の実施の形態による異常監視装置の機能ブロック図である。
【図２】本実施の形態を説明するための概念図である。
【図３】本実施の形態による異常監視装置の動作について説明するためのフローチャートである。
【図４】本実施の形態における所属データについて説明するための図である。
【図５】本実施の形態における所属データについて説明するための図である。
【図６】本実施の形態における所属データについて説明するための図である。
【符号の説明】
【００５６】
Ｅ  異常監視装置、９０１  監視対象データ抽出部、９０２  所属データ抽出部、９０３  監視対象状態抽出部、９０４  表示用状態決定部、９０５  表示画面決定部、９０６  表示部、９０７  操作入力部、９０８  異常状態検出部、８  データベース、８０１  監視対象データ、８０２  所属データ、８０３  監視対象状態データ。
【図１】
2005208707.tif 000003
【図２】
2005208707.tif 000004
【図３】
2005208707.tif 000005
【図４】
2005208707.tif 000006
【図５】
2005208707.tif 000007
【図６】
2005208707.tif 000008